(57)【要約】      （修正有）【課題】耐候性に優れた塩化ビニル系樹脂組成物からなる防水シートを提供すること。【解決手段】塩化ビニル系樹脂１００重量部に、可塑剤５〜１００重量部、式（Ｉ）で表されるヒンダードアミン化合物０．０５〜５重量部、及びベンゾトリアゾール系紫外線吸収剤０．０５〜５重量部を配合した樹脂組成物からなる防水シート。2008239732.tif 000012【選択図】なし【特許請求の範囲】
【請求項１】
（Ａ）塩化ビニル系樹脂１００重量部に、（Ｂ）可塑剤５〜１００重量部、（Ｃ）下記一般式（Ｉ）で表されるヒンダードアミン化合物０．０５〜５重量部、及び（Ｄ）下記一般式（II）で表されるベンゾトリアゾール系紫外線吸収剤０．０５〜５重量部を配合してなる塩化ビニル系樹脂組成物からなる防水シート。
【化１】
2008239732.tif 000010
（式中、Ｒ1及びＲ2は、各々独立に、炭素原子数４〜２０のアルキル基又は炭素原子数５〜６のシクロアルキル基を表す。）
【化２】
2008239732.tif 000011
（式中、Ｒ3は炭素原子数１〜１２のアルキル基を表す。）
【請求項２】
上記一般式（II）におけるＲ3が、１，１，３，３−テトラメチルブチル基である請求項１記載の防水シート。
【発明の詳細な説明】
【技術分野】
【０００１】
本発明は、塩化ビニル系樹脂組成物からなる防水シートに関し、詳しくは、特定の構造を有するヒンダードアミン化合物及び紫外線吸収剤を配合してなり、耐候性に優れる塩化ビニル系樹脂組成物からなる防水シートに関するものである。
【背景技術】
【０００２】
陸屋根等の屋上に施設される防水シートには、一般的に塩化ビニル系樹脂、可塑剤、充填剤等からなる塩化ビニル系樹脂組成物からなる防水シートが使用されている。
【０００３】
近年、住宅の高い耐久性が要求されるに伴って、防水シートにも高い耐久性（耐候性）が求められるようになった。
【０００４】
特許文献１には、ポリ塩化ビニル樹脂、可塑剤、グリシン亜鉛、有機リン酸エステル及び塩素化ホウ酸化チタンからなる軟質ポリ塩化ビニル樹脂系防水シートが提案され、特許文献２には塩化ビニル系樹脂、可塑剤、充填剤及び塩基性リン酸亜鉛又は塩基性亜リン酸亜鉛を配合した塩化ビニル系樹脂からなる防水シートが提案されている。いずれの発明も耐候性の改善は認められるものの満足のいくものではなかった。
【０００５】
【特許文献１】特開平５−３０６３４３号公報
【特許文献２】特開２００６−００１９６３号公報
【発明の開示】
【発明が解決しようとする課題】
【０００６】
従って本発明の目的は、耐候性に優れた塩化ビニル系樹脂組成物からなる防水シートを提供することにある。
【課題を解決するための手段】
【０００７】
本発明者らは鋭意検討を重ねた結果、塩化ビニル系樹脂に、可塑剤、特定のヒンダードアミン化合物及びベンゾトリアゾール系紫外線吸収剤を配合してなる塩化ビニル系樹脂組成物からなる防水シートが優れた耐候性を示すことを知見した。
【０００８】
即ち、本発明は、上記知見に基づきなされたもので、（Ａ）塩化ビニル系樹脂１００重量部に、（Ｂ）可塑剤５〜１００重量部、（Ｃ）下記一般式（Ｉ）で表されるヒンダードアミン化合物０．０５〜５重量部、及び（Ｄ）下記一般式（II）で表されるベンゾトリアゾール系紫外線吸収剤０．０５〜５重量部を配合してなる塩化ビニル系樹脂組成物からなる防水シートを提供することにより、上記目的を達成したものである。
【０００９】
【化１】
2008239732.tif 000002
（式中、Ｒ1及びＲ2は、各々独立に、炭素原子数４〜２０のアルキル基又は炭素原子数５〜６のシクロアルキル基を表す。）
【００１０】
【化２】
2008239732.tif 000003
（式中、Ｒ3は炭素原子数１〜１２のアルキル基を表す。）
【発明の効果】
【００１１】
本発明の防水シートは、耐候性に優れたものであり、陸屋根等の防水シートとして好適に用いることができる。
【発明を実施するための最良の形態】
【００１２】
以下、本発明の塩化ビニル系樹脂組成物からなる防水シートについて好ましい実施形態に基づき詳細に説明する。
【００１３】
本発明の防水シートは、（Ａ）塩化ビニル系樹脂１００重量部に、（Ｂ）可塑剤５〜１００重量部、（Ｃ）下記一般式（Ｉ）で表されるヒンダードアミン化合物０．０５〜５重量部、及び（Ｄ）下記一般式（II）で表されるベンゾトリアゾール系紫外線吸収剤０．０５〜５重量部を配合してなる塩化ビニル系樹脂組成物からなる。
【００１４】
本発明に使用される（Ａ）塩化ビニル系樹脂としては、塊状重合、溶液重合、懸濁重合、乳化重合等その重合方法には特に限定されず、例えば、ポリ塩化ビニル、塩素化ポリ塩化ビニル、ポリ塩化ビニリデン、塩素化ポリエチレン、塩化ビニル−酢酸ビニル共重合体、塩化ビニル−エチレン共重合体、塩化ビニル−プロピレン共重合体、塩化ビニル−スチレン共重合体、塩化ビニル−イソブチレン共重合体、塩化ビニル−塩化ビニリデン共重合体、塩化ビニル−スチレン−無水マレイン酸三元共重合体、塩化ビニル−スチレン−アクリロニトリル共重合体、塩化ビニル−ブタジエン共重合体、塩化ビニル−イソプレン共重合体、塩化ビニル−塩素化プロピレン共重合体、塩化ビニル−塩化ビニリデン−酢酸ビニル三元共重合体、塩化ビニル−マレイン酸エステル共重合体、塩化ビニル−メタクリル酸エステル共重合体、塩化ビニル−アクリロニトリル共重合体、塩化ビニル−各種ビニルエーテル共重合体等の塩素含有樹脂、及びそれら相互のブレンド品、あるいは他の塩素を含まない合成樹脂、例えば、アクリロニトリル−スチレン共重合体、エチレン−酢酸ビニル共重合体、エチレン−エチル（メタ）アクリレート共重合体、ポリエステル等とのブレンド品、ブロック共重合体、グラフト共重合体等を挙げることができる。
【００１５】
本発明に使用される（Ｂ）可塑剤としては、通常塩化ビニル系樹脂に用いられる可塑剤を任意に使用することができ、例えば、ジブチルフタレート、ブチルヘキシルフタレート、ジヘプチルフタレート、ジオクチルフタレート、ジ−２−エチルヘキシルフタレート、ジイソノニルフタレート、ジイソデシルフタレート、ジウンデシルフタレート、ジラウリルフタレート、ジトリデシルフタレート、ジオクタデシルフタレート、ジシクロヘキシルフタレート、ジオクチルテレフタレート等のフタル酸エステル系可塑剤；ジオクチルアジペート、ジイソノニルアジペート、ジイソデシルアジペート、ジ（ブチルジグリコール）アジペート等のアジピン酸エステル系可塑剤；トリフェニルホスフェート、トリクレジルホスフェート、トリキシレニルホスフェート、トリ（イソプロピルフェニル）ホスフェート、トリエチルホスフェート、トリブチルホスフェート、トリオクチルホスフェート、トリ（ブトキシエチル）ホスフェート、オクチルジフェニルホスフェート、フェノール・レゾルシノールポリホスフェート、フェノール・ビスフェノールＡポリホスフェート等のリン酸エステル系可塑剤；多価アルコールとしてエチレングリコール、ジエチレングリコール、トリエチレングリコール、１，２−プロピレングリコール、１，３−プロピレングリコール、１，３−ブタンジオール、１，４−ブタンジオール、２−メチル−１，３−プロピレングリコール、１，５−ヘキサンジオール、１，６−ヘキサンジオール、ネオペンチルグリコール、グリセリン、トリメチロールプロパン、ペンタエリスリトール、ジペンタエリスリトール等と、二塩基酸として、シュウ酸、マロン酸、コハク酸、グルタル酸、アジピン酸、ピメリン酸、スベリン酸、アゼライン酸、セバチン酸、フタル酸、イソフタル酸、テレフタル酸等とを用い、必要により一価アルコール及び／又はモノカルボン酸をストッパーに使用したポリエステル系可塑剤；エポキシ化大豆油、エポキシ化ひまし油等のエポキシ化植物油；その他、テトラヒドロフタル酸系可塑剤、アゼライン酸系可塑剤、セバチン酸系可塑剤、ステアリン酸系可塑剤、クエン酸系可塑剤、トリメリット酸系可塑剤、ピロメリット酸系可塑剤、ビフェニレンポリカルボン酸系可塑剤等が挙げられる。これらの可塑剤の中でも、フタル酸及び炭素原子数８〜１３のアルコール、特に炭素原子数９〜１１のアルコールから得られるフタル酸エステル系可塑剤、とりわけ、ジイソノニルフタレート、ジウンデシルフタレートを使用することが、特に耐候性に優れた防水シートが得られるので好ましい。
【００１６】
上記（Ｂ）可塑剤は、塩化ビニル系樹脂１００重量部に対して、３０〜１００重量部、好ましくは４０〜８０重量部、特に好ましくは４５〜７０重量部の範囲で使用される。３０重量部より少ないと十分な可塑化効果が得られず、１００重量部より多く用いると得られる塩化ビニル系樹脂組成物の強度が不足して実用に耐えないことがある。
【００１７】
本発明に使用される（Ｃ）上記一般式（Ｉ）で表されるヒンダードアミン化合物において、Ｒ1及びＲ2で表される炭素原子数４〜２０のアルキル基としては、例えば、ブチル、第二ブチル、第三ブチル、ペンチル、ヘキシル、ヘプチル、オクチル、ノニル、デシル、ウンデシル、ドデシル、テトラデシル、ヘキサデシル、オクタデシル等が挙げられ、炭素原子数５〜６のシクロアルキル基としては、例えば、シクロペンチル、シクロヘキシル等が挙げられる。
【００１８】
上記（Ｃ）ヒンダードアミン化合物としては、より具体的には、以下の化合物Ｎｏ．１〜４の化合物が挙げられる。ただし、本発明は以下の化合物によりなんら制限されるものではない。
【００１９】
【化３】
2008239732.tif 000004
【００２０】
【化４】
2008239732.tif 000005
【００２１】
【化５】
2008239732.tif 000006
【００２２】
【化６】
2008239732.tif 000007
【００２３】
これら上記（Ｃ）ヒンダードアミン化合物の中でも、化合物Ｎｏ．１が耐候性に優れるため好ましい。
【００２４】
上記（Ｃ）ヒンダードアミン化合物は、塩化ビニル系樹脂１００重量部に対して、０．０５〜５重量部、好ましくは０．１〜３重量部の範囲で使用される。０．０５重量部より少ないと十分な安定化効果が得られず、５重量部より多く用いても安定化効果はあまり向上せずコストアップになり、また、ブリードして概観を損なうことがある。
【００２５】
本発明に使用される（Ｄ）上記一般式（II）で表されるベンゾトリアゾール系紫外線吸収剤おいて、Ｒ3で表される炭素原子数１〜１２のアルキル基としては、例えば、メチル、エチル、プロピル、イソプロピル、ブチル、第二ブチル、第三ブチル、ペンチル、第三ペンチル、ヘキシル、ヘプチル、オクチル、１，１，３，３−テトラメチルブチル、ノニル、イソノニル、デシル、イソデシル、ウンデシル、ドデシル等が挙げられる。
【００２６】
上記（Ｄ）ベンゾトリアゾール系紫外線吸収剤としては、例えば、２−（２−ヒドロキシ−５−メチルフェニル）ベンゾトリアゾール、２−（２−ヒドロキシ−５−第三ブチルフェニル）ベンゾトリアゾール、２−（２−ヒドロキシ−５−（１，１，３，３−テトラメチルブチル）フェニル）ベンゾトリアゾール等が挙げられる。２−（２−ヒドロキシ−５−（１，１，３，３−テトラメチルブチル）フェニル）ベンゾトリアゾールが樹脂への相溶性と耐揮発性に優れ好ましい。
【００２７】
上記（Ｄ）ベンゾトリアゾール系紫外線吸収剤は、塩化ビニル系樹脂１００重量部に対して、０．０５〜５重量部、好ましくは０．１〜３重量部の範囲で使用される。０．０５重量部より少ないと十分な安定化効果が得られず、５重量部より多く用いても安定化効果はあまり向上せずコストアップになり、また、ブリードして概観を損なうことがある。
【００２８】
本発明の塩化ビニル系樹脂組成物には、必要に応じて、通常塩化ビニル系樹脂に配合される任意の添加剤、例えば、バリウム・亜鉛系安定剤、カルシウム・亜鉛系安定剤、錫系安定剤、鉛系安定剤等の金属塩化合物やハイドロタルサイト化合物、β−ジケトン化合物、過塩素酸塩、有機ホスファイト化合物、フェノール系又は硫黄系酸化防止剤、エポキシ化合物、ポリオール化合物、他のヒンダードアミン化合物、他の紫外線吸収剤、充填剤、安定化助剤等を配合することができる。
【００２９】
上記金属塩化合物としては、例えば、ステアリン酸塩、ラルリン酸塩、オレイン酸塩、マレイン酸、安息香酸塩等の有機カルボン酸塩、ステアリルリン酸塩、ジステアリルリン酸塩、フェニルリン酸塩、ジフェニルリン酸塩等のリン酸エステル塩及びこれらの塩基性塩、炭酸塩、硫酸塩及びこれらの塩基性塩、金属酸化物、金属水酸化物が挙げられ、これらは単独で又は混合物として、場合により複合物として用いる。
【００３０】
上記ハイドロタルサイト化合物としては、下記〔化７〕の一般式（III）で表されるマグネシウム及びアルミニウム、又はマグネシウム、及びアルミニウムからなる複塩化合物が好ましく用いられ、また、結晶水を脱水したものであってもよい。
【００３１】
【化７】
2008239732.tif 000008
（式中、ｘ１、ｘ２及びｙ１は各々下記式で表される条件を満足する数を示し、ｍは０又は任意の整数を示す。
０≦ｘ２／ｘ１≦１０、２≦ｘ１＋ｘ２＜２０、０≦ｙ１≦２）
【００３２】
上記ハイドロタルサイト化合物は、天然物であってもよく、合成品であってもよい。該合成品の合成方法としては、特公昭４６−２２８０号公報、特公昭５０−３００３９号公報、特公昭５１−２９１２９号公報、特公平３−３６８３９号公報、特開昭６１−１７４２７０号公報、特開２００１−１６４０４２号公報、特開２００２−５３７２２号公報等に記載の公知の合成方法を例示することができる。また、本発明においては、上記ハイドロタルサイト化合物は、その結晶構造、結晶粒子径等に制限されることなく使用することが可能で、原料中に含まれる鉄等の重金属分の残存量は精製コストが実用的な範囲で少ないことが好ましい。
【００３３】
また、上記ハイドロタルサイト化合物としては、その表面をステアリン酸のごとき高級脂肪酸、オレイン酸アルカリ金属のごとき高級脂肪酸金属塩、ドデシルベンゼンスルホン酸アルカリ金属塩のごとき有機スルホン酸金属塩、高級脂肪酸アミド、高級脂肪酸エステル又はワックス等で被覆したものも使用できる。
【００３４】
上記β−ジケトン化合物としては、例えば、アセチルアセトン、トリアセチルメタン、２，４，６−ヘプタトリオン、ブタノイルアセチルメタン、ラウロイルアセチルメタン、パルミトイルアセチルメタン、ステアロイルアセチルメタン、フェニルアセチルアセチルメタン、ジシクロヘキシルカルボニルメタン、ベンゾイルホルミルメタン、ベンゾイルアセチルメタン、ジベンゾイルメタン、オクチルベンゾイルメタン、ビス（４−オクチルベンゾイル）メタン、ベンゾイルジアセチルメタン、４−メトキシベンゾイルベンゾイルメタン、ビス（４−カルボキシメチルベンゾイル）メタン、２−カルボキシメチルベンゾイルアセチルオクチルメタン、デヒドロ酢酸、シクロヘキサン−１，３−ジオン、３，６−ジメチル−２，４−ジオキシシクロヘキサン−１−カルボン酸メチル、２−アセチルシクロヘキサノン、ジメドン、２−ベンゾイルシクロヘキサン等が挙げられる。また、これらβ−ジケトン化合物の金属塩も使用することができ、該β−ジケトン金属塩を提供しうる金属としては、例えば、リチウム、ナトリウム及びカリウム等のアルカリ金属；マグネシウム、カルシウム、ストロンチウム及びバリウム等のアルカリ土類金属；亜鉛、アルミニウム、錫、アルキル錫等が挙げられる。
【００３５】
上記過塩素酸塩としては、例えば、過塩素酸ナトリウム、過塩素酸カリウム、過塩素酸バリウム、過塩素酸アンモニウム等が挙げられる。
【００３６】
上記有機ホスファイト化合物としては、例えば、トリフェニルホスファイト、トリス（２，４−ジ第三ブチルフェニル）ホスファイト、トリス（ノニルフェニル）ホスファイト、トリス（ジノニルフェニル）ホスファイト、トリス（モノ、ジ混合ノニルフェニル）ホスファイト、ジフェニルアシッドホスファイト、２，２’−メチレンビス（４，６−ジ第三ブチルフェニル）２−エチルヘキシルホスファイト、ジフェニルデシルホスファイト、フェニルジイソデシルホスファイト、トリブチルホスファイト、トリス（２−エチルヘキシル）ホスファイト、トリデシルホスファイト、トリラウリルホスファイト、ジブチルアシッドホスファイト、ジラウリルアシッドホスファイト、トリラウリルトリチオホスファイト、ビス（ネオペンチルグリコール）・１，４−シクロヘキサンジメチルジホスファイト、ビス（２，４−ジ第三ブチルフェニル）ペンタエリスリトールジホスファイト、ビス（２，６−ジ第三ブチル−４−メチルフェニル）ペンタエリスリトールジホスファイト、ビス（２，４−ジクミルフェニル）ペンタエリスリトールジホスファイト、ジステアリルペンタエリスリトールジホスファイト、水素化−４，４’−イソプロピリデンジフェノールポリホスファイト、テトラ（Ｃ12〜Ｃ15混合アルキル）−４，４’−イソプロピリデンジフェニルジホスファイト、テトラトリデシル・４，４’−ブチリデンビス（２−第三ブチル−５−メチルフェノール）ジホスファイト、ヘキサ（トリデシル）・１，１，３−トリス（２−メチル−５−第三ブチル−４−ヒドロキシフェニル）ブタン・トリホスファイト、９，１０−ジハイドロ−９−オキサ−１０−ホスファフェナンスレン−１０−オキサイド、２−ブチル−２−エチル−１，３−プロパンジオール・２，４，６−トリ第三ブチルフェノール・モノホスファイト等が挙げられる。
【００３７】
上記フェノール系酸化防止剤としては、例えば、２，６−ジ第三ブチル−４−メチルフェノール、２，６−ジフェニル−４−オクタデシロキシフェノール、ステアリル（３，５−ジ第三ブチル−４−ヒドロキシフェニル）プロピオネート、ジステアリル（３，５−ジ第三ブチル−４−ヒドロキシベンジル）ホスホネート、チオジエチレンビス〔（３，５−ジ第三ブチル−４−ヒドロキシフェニル）プロピオネート〕、４，４’−チオビス（２−第三ブチル−５−メチルフェノール）、２−メチル−４，６−ビス（オクチルチオメチル）フェノール、２−（３，５−ジ第三ブチル−４−ヒドロキシフェニル）アミノ−４，６−ビス（オクチルチオ）−ｓ−トリアジン、２，２’−メチレンビス（４−メチル−６−第三ブチルフェノール）、ビス〔３，３−ビス（４−ヒドロキシ−３−第三ブチルフェニル）ブチリックアシッド〕グリコールエステル、４，４’−ブチリデンビス（５−第三ブチル−４−ヒドロキシ−２−メチルフェニル）、２，２’−エチリデンビス（４，６−ジ第三ブチルフェノール）、１，１，３−トリス（２−メチル−４−ヒドロキシ−５−第三ブチルフェニル）ブタン、ビス〔２−第三ブチル−４−メチル−６−（２−ヒドロキシ−３−第三ブチル−５−メチルベンジル）フェニル〕テレフタレート、１，３，５−トリス（２，６−ジメチル−３−ヒドロキシ−４−第三ブチルベンジル）イソシアヌレート、１，３，５−トリス（３，５−ジ第三ブチル−４−ヒドロキシベンジル）イソシアヌレート、１，３，５−トリス（３，５−ジ第三ブチル−４−ヒドロキシベンジル）−２，４，６−トリメチルベンゼン、１，３，５−トリス〔（３，５−ジ第三ブチル−４−ヒドロキシフェニル）プロピオニルオキシエチル〕イソシアヌレート、テトラキス〔３−（３，５−ジ第三ブチル−４−ヒドロキシフェニル）プロピオニルオキシメチル〕メタン、２−第三ブチル−４−メチル−６−（２−アクリロイルオキシ−３−第三ブチル−５−メチルベンジル）フェノール、２−第三アミル−４−メチル−６−〔１−（２−アクリロイルオキシ−３−第三アミル−５−メチルフェニル）エチル〕フェノール、３，９−ビス〔２−〔３−（３−第三ブチル−４−ヒドロキシ−５−メチルフェニル）プロパノイルオキシ〕−１，１−ジメチルエチル〕−２，４，８，１０−テトラオキサスピロ〔５．５〕ウンデカン−ビス、トリエチレングリコールビス〔３−（３−第三ブチル−４−ヒドロキシ−５−メチルフェニル）プロピオネート〕等が挙げられる。
【００３８】
上記硫黄系酸化防止剤としては、例えば、ジラウリルチオジプロピオネート、ジミリスチルチオジプロピオネート、ジステアリルチオジプロピオネート、ミリスチルステアリルチオジプロピオネート等のジアルキルチオジプロピオネート類、及びペンタエリスリトールテトラ（３−ドデシルメルカプトプロピオネート）等のポリオールのβ−アルキルメルカプトプロピオン酸エステル類等が挙げられる。
【００３９】
上記エポキシ化合物としては、例えば、エポキシ化大豆油、エポキシ化亜麻仁油、エポキシ化桐油、エポキシ化魚油、エポキシ化牛脂油、エポキシ化ひまし油、エポキシ化サフラワー油等のエポキシ化動植物油、エポキシ化ステアリン酸メチル、エポキシ化ステアリン酸ブチル、エポキシ化ステアリン酸２−エチルヘキシル、エポキシ化ステアリン酸ステアリルエステル、エポキシ化ポリブタジエン、トリス（エポキシプロピル）イソシアヌレート、エポキシ化トール油脂肪酸エステル、エポキシ化亜麻仁油脂肪酸エステル、ビスフェノールＡジグリシジルエーテル、ビニルシクロヘキセンジエポキシド、ジシクロヘキセンジエポキシド、３，４−エポキシシクロヘキシルメチル−３，４−エポキシシクロヘキサンカルボキシレート等のエポキシ化合物等が挙げられる。
【００４０】
上記ポリオール化合物としては、例えば、トリメチロールプロパン、ジトリメチロールプロパン、グリセリン、ペンタエリスリトール、ジペンタエリスリトール、ポリペンタエリスリトールやこれらポリオール化合物とステアリン酸の等の脂肪酸との部分エステル、ビス（ジペンタエリスリトール）アジペート、トリス（２−ヒドロキシエチル）イソシアヌレート等が挙げられる。
【００４１】
上記他のヒンダードアミン化合物としては、例えば、２，２，６，６−テトラメチル−４−ピペリジルステアレート、１，２，２，６，６−ペンタメチル−４−ピペリジルステアレート、２，２，６，６−テトラメチル−４−ピペリジルベンゾエート、ビス（２，２，６，６−テトラメチル−４−ピペリジル）セバケート、ビス（１，２，２，６，６−ペンタメチル−４−ピペリジル）セバケート、ビス（１−オクチルオキシ−２，２，６，６−テトラメチル−４−ピペリジル）セバケート、テトラキス（２，２，６，６−テトラメチル−４−ピペリジル）−１，２，３，４−ブタンテトラカルボキシレート、テトラキス（１，２，２，６，６−ペンタメチル−４−ピペリジル）−１，２，３，４−ブタンテトラカルボキシレート、ビス（１，２，２，６，６−ペンタメチル−４−ピペリジル）・ジ（トリデシル）−１，２，３，４−ブタンテトラカルボキシレート、ビス（１，２，２，６，６−ペンタメチル−４−ピペリジル）−２−ブチル−２−（３，５−ジ第三ブチル−４−ヒドロキシベンジル）マロネート、１−（２−ヒドロキシエチル）−２，２，６，６−テトラメチル−４−ピペリジノール／コハク酸ジエチル重縮合物、１，６−ビス（２，２，６，６−テトラメチル−４−ピペリジルアミノ）ヘキサン／ジブロモエタン重縮合物、１，６−ビス（２，２，６，６−テトラメチル−４−ピペリジルアミノ）ヘキサン／２，４−ジクロロ−６−モルホリノ−ｓ−トリアジン重縮合物、１，６−ビス（２，２，６，６−テトラメチル−４−ピペリジルアミノ）ヘキサン／２，４−ジクロロ−６−第三オクチルアミノ−ｓ−トリアジン重縮合物、１，５，８，１２−テトラキス〔２，４−ビス（Ｎ−ブチル−Ｎ−（２，２，６，６−テトラメチル−４−ピペリジル）アミノ）−ｓ−トリアジン−６−イル〕−１，５，８，１２−テトラアザドデカン、１，５，８，１２−テトラキス〔２，４−ビス（Ｎ−ブチル−Ｎ−（１，２，２，６，６−ペンタメチル−４−ピペリジル）アミノ）−ｓ−トリアジン−６−イル〕−１，５，８，１２−テトラアザドデカン、１，６，１１−トリス〔２，４−ビス（Ｎ−ブチル−Ｎ−（２，２，６，６−テトラメチル−４−ピペリジル）アミノ）−ｓ−トリアジン−６−イルアミノ〕ウンデカン、１，６，１１−トリス〔２，４−ビス（Ｎ−ブチル−Ｎ−（１，２，２，６，６−ペンタメチル−４−ピペリジル）アミノ）−ｓ−トリアジン−６−イルアミノ〕ウンデカン、３，９−ビス〔１,１−ジメチル−２−［トリス（１，２，２，６，６−ペンタメチル−４−ピペリジルオキシカルボニル）ブチルカルボニルオキシ］エチル〕−２，４，８，１０−テトラオキサスピロ〔５．５〕ウンデカン等のヒンダードアミン化合物等が挙げられる。
【００４２】
上記他の紫外線吸収剤としては、例えば、２，４−ジヒドロキシベンゾフェノン、２−ヒドロキシ−４−メトキシベンゾフェノン、２−ヒドロキシ−４−オクトキシベンゾフェノン、５，５’−メチレンビス（２−ヒドロキシ−４−メトキシベンゾフェノン）等の２−ヒドロキシベンゾフェノン類；フェニルサリシレート、レゾルシノールモノベンゾエート、２，４−ジ第三ブチルフェニル−３，５−ジ第三ブチル−４−ヒドロキシベンゾエート、２，４−ジ第三アミルフェニル−３，５−ジ第三ブチル−４−ヒドロキシベンゾエート、ヘキサデシル−３，５−ジ第三ブチル−４−ヒドロキシベンゾエート等のベンゾエート類；２−エチル−２'−エトキシオキザニリド、２−エトキシ−４'−ドデシルオキザニリド等の置換オキザニリド類；エチル−α−シアノ−β，β−ジフェニルアクリレート、メチル−２−シアノ−３−メチル−３−（ｐ−メトキシフェニル）アクリレート等のシアノアクリレート類；２−（２−ヒドロキシ−４−オクトキシフェニル）−４，６−ビス（２，４−ジ第三ブチルフェニル）−ｓ−トリアジン、２−（２−ヒドロキシ−４−メトキシフェニル）−４，６−ジフェニル−ｓ−トリアジン、２−（２−ヒドロキシ−４−プロポキシ−５−メチルフェニル）−４，６−ビス（２，４−ジ第三ブチルフェニル）−ｓ−トリアジン、２−（２−ヒドロキシ−４−（２−エチルヘキサノイルオキシ）エトキシフェニル）−４，６−ジフェニル−ｓ−トリアジン等のトリアリールトリアジン類や２−（２−ヒドロキシ−５−メチルフェニル）ベンゾトリアゾール、２−（２−ヒドロキシ−５−第三オクチルフェニル）ベンゾトリアゾール、２−（２−ヒドロキシ−３，５−ジ第三ブチルフェニル）−５−クロロベンゾトリアゾール、２−（２−ヒドロキシ−３−第三ブチル−５−メチルフェニル）−５−クロロベンゾトリアゾール、２−（２−ヒドロキシ−３，５−ジクミルフェニル）ベンゾトリアゾール、２，２’−メチレンビス（４−第三オクチル−６−ベンゾトリアゾリル）フェノール等の一般式（II）に該当しないベンゾトリアゾール系紫外線吸収剤等が挙げられる。
【００４３】
上記充填剤としては、例えば、炭酸カルシウム（重質、軽質、沈降性）、石膏、酸化チタン、硫酸バリウム、アルミナ、ハイドロカルマイト、ケイ酸ナトリウム、ケイ酸アルミニウム、ケイ酸マグネシウム、ケイ酸カルシウム、ゼオライト、ケイ石、珪藻土、活性白土、タルク、マイカ、クレイ、ベンガラ、ロックウール、グラファイト、カーボンブラック等が挙げられるが、特に炭酸カルシウムの使用が塩化ビニル系樹脂の耐候性に悪影響が小さいため好ましい。
【００４４】
上記安定化助剤としては、例えば、ジフェニルチオ尿素、アニリノジチオトリアジン、メラミン、安息香酸、桂皮酸、ｐ−第三ブチル安息香酸、無水ケイ酸、ケイ酸塩、ゼオライト等が挙げられる。
【００４５】
その他、本発明の塩化ビニル系樹脂組成物からなる防水シートには、必要に応じて、架橋剤、帯電防止剤、発泡剤、防曇剤、プレートアウト防止剤、表面処理剤、滑剤、難燃剤、防黴剤、抗菌剤、殺菌剤、蛍光剤、顔料、金属不活性化剤、離型剤、加工助剤等の任意の添加剤を配合することもできる。
【００４６】
上述した任意の添加剤の配合量は、添加剤の種類等によって適宜選択することができるが、塩化ビニル系樹脂１００重量部に対して、好ましくは合計で５０重量部以下とする。
【００４７】
本発明の塩化ビニル系樹脂組成物からなる防水シートは、従来周知の塩化ビニル系樹脂製防水シートの製造方法により製造することができ、特に制限されない。
【００４８】
本発明の防水シートは、主に陸屋根等の防水シートとして好適に用いられる。
【実施例】
【００４９】
次に、実施例及び比較例によって本発明の防水シートを更に詳細に説明するが、本発明は下記の実施例等によって制限を受けるものではない。
尚、下記実施例１は、本発明に係る塩化ビニル系樹脂組成物からなる防水シートの実施例を示し、下記比較例１〜５は、本発明に係る塩化ビニル系樹脂組成物とは異なるヒンダートアミン化合物及び／又はベンゾトリアゾール系紫外線吸収剤を配合した塩化ビニル系樹脂組成物からなる防水シートの実施例を示す。
【００５０】
〔実施例１及び比較例１〜５〕
（Ａ）塩化ビニル樹脂（平均重合度１０００）１００重量部に、（Ｂ）ジイソノニルフタレート６２重量部、炭酸カルシウム  ５重量部、二酸化チタン  ５重量部、ビスフェノールA型エポキシ樹脂  ２重量部、ハイドロタルサイト  ２重量部、ステアリン酸亜鉛  １重量部、βジケトン  ０．１重量部、アルキルホスフェート  １重量部、ジプロピレングリコール-ビス（ジフェニルホスファイト）  ０．５重量部及び表１記載の耐候剤を配合して１８０℃で７分間ロール混練し０．７ｍｍ厚のシートを作成した。これらのシートを張り合わせて１８０℃で５分間プレス加工を行い、厚さ１ｍｍのシートを得た。得られたシートをメタルウェザー試験（ダイプラ・ウィンテック社製  試験条件Lightのみ BP 63℃  湿度50%RH  spray Light 2hr中 120sec.）で表面が黄色に着色するまでの時間を測定し、耐候性として評価した。評価結果を下記〔表１〕に示す。
【００５１】
【表１】
2008239732.tif 000009
【００５２】
実施例１及び比較例１〜５の結果から次のことが明らかである。
塩化ビニル樹脂に、耐候剤を使用しない場合（比較例５）には、得られたシートの耐候性が全く不十分であった。また、本発明に係る（Ｃ）特定のヒンダードアミン化合物のみを用いた場合（比較例１）、本発明に係る（Ｄ）特定のベンゾトリアゾール化合物のみを用いた場合（比較例２）、本発明に係る（Ｃ）特定のヒンダードアミン化合物と本発明に係る（Ｄ）特定のベンゾトリアゾール化合物とは異なるベンゾトリアゾール化合物とを併用した場合（比較例３）、及び本発明に係る（Ｃ）特定のヒンダードアミン化合物とは異なるヒンダードアミン化合物と本発明に係る（Ｄ）ベンゾトリアゾール化合物とを併用した場合（比較例４）には、いずれも得られたシートの耐候性が不十分であった。
これに対し、塩化ビニル樹脂に、本発明に係る（Ｃ）特定のヒンダードアミン化合物と本発明に係る（Ｄ）特定のベンゾトリアゾール化合物とを併用した場合（実施例１）には、得られたシートに顕著な耐候性の向上が認められた。